(57)【特許請求の範囲】
【請求項１】
ビスを用いてフレームに板部材を固定してなる時計において、
前記フレームと前記板部材との間にはスポンジを装着し、
前記スポンジは、前記ビスの螺入部位を覆うとともに、装着後の厚さが装着前の厚さよりも小さく、圧縮された状態であることを特徴とする時計。
【発明の詳細な説明】
【０００１】
【発明の属する技術分野】
本発明は、ビスを用いてフレームに板部材を固定してなる時計に関し、特に、ビスを螺入することによってフレームから生じる削り屑の拡散を防止するものである。
【０００２】
【従来の技術】
一般に、木製のフレームにムーブメントを支持する板部材を固定して構成された木枠時計が知られている。フレームに対し、板部材はビスを用いて固定されている。
【０００３】
【発明が解決しようとする課題】
ところで、前述したようにビスをフレームに螺入すると、フレームからは削り屑が生じる。
【０００４】
このような削り屑に対処するものとしては、例えば実公平７−３３１９２号公報に記載された木枠時計のように、所定の位置に設けた粘着部材にて削り屑を捕捉するものが提案されている。
【０００５】
しかしながら、削り屑を粘着部材にて捕捉する場合は、粘着部材の粘性が乾燥等によって次第に劣化し、捕捉されていた削り屑が不意に拡散してしまう虞が顕著であった。
【０００６】
また、実用新案登録公報第２５０２６６９号に記載された木枠の取り付け構造は、本願の出願人が先に提案したものであり、所要の部位に弾性を有する保留材を介装するものである。
【０００７】
この木枠の取付け構造については、粘性が劣化するという虞は解消される。但し、削り屑の捕捉力はやや弱く、更なる改良が求められている。
【０００８】
そこで本発明は、このような事情を考慮し、ビスを螺入することによってフレームから生じる削り屑の拡散を、一層効率よく防止することができる時計を提供することを目的としている。
【０００９】
【課題を解決するための手段】
本願第1請求項に記載した発明は、ビスを用いてフレームに板部材を固定してなる時計において、前記フレームと前記板部材との間にはスポンジを装着し、前記スポンジは、前記ビスの螺入部位を覆うとともに、装着後の厚さが装着前の厚さよりも小さく、圧縮された状態である構成の時計であり、このような構成によると、ビスを螺入することによってフレームから生じる削り屑の拡散が、効率よく防止される。
【００１０】
すなわち、本発明は、削り屑をフレームとスポンジとの間、及びビスとスポンジとの間に抑え込むものであり、スポンジの圧縮によれば、フレーム及びビスに対するスポンジの当接圧が十分に確保される。従って、削り屑はより確実に捕捉される。
【００１１】
特に、削り屑を粘着部材にて捕捉する場合は、粘着部材の粘性が乾燥等によって次第に劣化し、捕捉されていた削り屑が不意に拡散してしまう虞が顕著であったところ、本発明では、そのような不都合が満足に回避される。
【００１２】
【発明の実施の形態】
以下に、本発明の具体例を図面に基づいて詳細に説明する。
【００１３】
図１乃至図６に示すように、本例の時計１は、その周囲を縁取る木製又は合成樹脂製のフレーム２００に、文字盤３１０、指針３２０、及びムーブメント３３０を配置した板部材３００（本例ではＭＤＦボード）を固定して構成されている。
【００１４】
更に、フレーム２００にはガラス製又はアクリル製の透明板４００を嵌装しており、板部材３００と透明板４００との間には、環状を呈するスペーサ５００を配置している。
【００１５】
本例のフレーム２００は、板部材３００の着座面２１０と、透明板４００の着座面２２０とを備え、板部材３００は、フレーム２００の背面側から、透明板４００及びスペーサ５００を覆うように、ビス６００を用いて固定される。
【００１６】
板部材３００の着座面２１０には、ビス６００を螺入する凹部２１１が設けられており、板部材３００の要所には、ビス６００を挿通する挿通部３０１が設けられている。凹部２１１は、ビス６００の螺入部位である。尚、挿通部３０１は、板部材３００の縁部に形成された切り欠き状のものを図例したが、或いは、孔状のものであってもよい。
【００１７】
更に、このような凹部２１１及び挿通部３０１は、時計１の周囲に対し、適宜間隔で複数設けられており、フレーム２００及び板部材３００は、複数のビス６００にて堅固に固定される。
【００１８】
また、本例の板部材３００は、正面に文字盤３１０及び指針３２０を設けるとともに、背面に指針３２０を駆動するムーブメントを設けたものである。文字盤３１０及び指針３２０は、フレーム２００と板部材３００とを固定するとともに、透明板４００の内側に配置される。
【００１９】
このような構成において、ビス６００を凹部２１１に螺入する際には、フレーム２００から多少の削り屑が生じる。そこで本例では、フレーム２００と板部材３００との間に、凹部２１１を覆うスポンジ７００を装着し、削り屑をフレーム２００とスポンジ７００との間、及びビス６００とスポンジ７００との間に押さえ込むことにより、削り屑の拡散を防止している。
【００２０】
スポンジ７００は、海綿状のゴム製又は合成樹脂製の部材であり、板部材３００とその着座面２１０との間に、圧縮された状態で介在されている。
【００２１】
つまり、スポンジ７００については、装着前の厚さｔ１（図５参照）よりも、装着後の厚さｔ２（図６参照）が小さく設定されている。スポンジ７００の厚さとは、ビス６００の螺入方向に対するスポンジ７００の寸法である。
【００２２】
かかるスポンジ７００は、ビス６００で貫かれ、フレーム２００と板部材３００とを固定するとともに圧縮される。
【００２３】
フレーム２００及びビス６００に対するスポンジ７００の当接圧は、スポンジ７００の圧縮により十分に確保されるので、削り屑は、フレーム２００とスポンジ７００との間、及びビス６００とスポンジ７００との間に確実に捕捉される。
【００２４】
このように本例の時計１は、フレーム２００から生じる削り屑を、圧縮されたスポンジ７００にて捕捉するものであり、削り屑の拡散を効率よく防止することができるものである。
【００２５】
尚、スポンジ７００については、例えば図７に示すように、挿通部３０１、或いは凹部２１１に対し、予め接着剤にて貼り付けるように構成してもよい。このような構成によれば、ビス６００を螺入する作業は容易に行うことができる。ここで、ビス６００の螺入は、スポンジ７００の位置ずれを防止するべく、接着剤が十分に乾いた後に行う。
【００２６】
また、本例では、フレーム２００に凹部２１１を設けることにより、ビス６００の螺入に伴うフレーム２００の破損を防止し、且つ削り屑の少量化を達成している。但し、このような破損の心配や削り屑が比較的少ない場合には、凹部２１１を設けずとも、フレーム２００の平面にビス６００を直接螺入するように構成してもよい。つまり、ビス６００の螺入部位は、フレーム２００の平面要所であり、この場合、凹部２１１の加工は省略することができる。、
以上説明したように、本例の時計によると、フレームと板部材との間にはスポンジを装着し、スポンジは、ビスの螺入部位を覆うとともに、装着後の厚さが装着前の厚さよりも小さく、圧縮された状態であるので、ビスを螺入することによってフレームから生じる削り屑の拡散を、効率よく防止することができる。
【００２７】
すなわち、本例は、削り屑をフレームとスポンジとの間、及びビスとスポンジとの間に抑え込むものであり、スポンジの圧縮によれば、フレーム及びビスに対するスポンジの当接圧を十分に確保することができる。従って、削り屑はより確実に捕捉することができる。
【００２８】
【発明の効果】
本願第1請求項に記載した発明は、ビスを用いてフレームに板部材を固定してなる時計において、前記フレームと前記板部材との間にはスポンジを装着し、前記スポンジは、前記ビスの螺入部位を覆うとともに、装着後の厚さが装着前の厚さよりも小さく、圧縮された状態である構成の時計であり、このような構成によると、ビスを螺入することによってフレームから生じる削り屑の拡散を、効率よく防止することができる。
【図面の簡単な説明】
【図１】本発明の具体例に係り、時計を示す正面図である。
【図２】本発明の具体例に係り、フレームを示す背面図である。
【図３】本発明の具体例に係り、板部材を示す正面図である。
【図４】本発明の具体例に係り、板部材を示す側面図である。
【図５】本発明の具体例に係り、装着前のスポンジを示す説明図である。
【図６】本発明の具体例に係り、装着後のスポンジを示す説明図である。
【図７】本発明の具体例に係り、板部材及びスポンジを示す斜視図である。
【符号の説明】
１      時計
２００      フレーム
２１０      フレームの着座面
２１１      凹部
２２０      透明板の着座面
３００      板部材
３０１      挿通部
３１０      文字盤
３２０      指針
３３０      ムーブメント
４００      透明板
５００      スペーサ
６００      ビス
７００      スポンジ
ｔ１      スポンジの装着前の厚さ
ｔ２      スポンジの装着後の厚さ
【図１】
0003539917.tif 000002
【図２】
0003539917.tif 000003
【図３】
0003539917.tif 000004
【図４】
0003539917.tif 000005
【図５】
0003539917.tif 000006
【図６】
0003539917.tif 000007
【図７】
0003539917.tif 000008